(57)【特許請求の範囲】
【請求項１】
帳票の反読取面側を支持するための支持面を一部に設けた４つの端縁を持つ支持シートと、
この支持シートに取り付けられ前記支持面上に支持された帳票の読取面側を覆うための透明シートとを具備し、
前記支持シートの第１の端縁を先頭に搬送させて前記帳票の画像を前記透明シート側から光学的に読み取らせるための帳票キャリアシートにおいて、
前記支持面は、少なくとも前記支持シートの前記第１の端縁から前記第１の端縁に対向する第２の端縁の方向に所定距離ずれた位置以降に第１の色で形成して前記支持シートの第２の色で形成した非支持面との間に色差を持たせるとともに、前記支持面の前記非支持面との境目に前記支持面側に陥没する凹部を複数形成し、
前記透明シートの一つの先端縁が前記支持シートの前記支持面の外縁部および前記凹部に接着された
ことを特徴とする帳票キャリアシート。
【請求項２】
帳票の反読取面側を支持するための支持面を一部に設けた４つの端縁を持つ支持シートと、
この支持シートに取り付けられ前記支持面上に支持された帳票の読取面側を覆うための透明シートとを具備し、
前記支持シートの第１の端縁を先頭に搬送させて前記帳票の画像を前記透明シート側から光学的に読み取らせるための帳票キャリアシートにおいて、
前記透明シートは、
前記支持シートの前記第１の端縁と直交する一端縁から所定距離だけ他端縁側にずれた位置に取り付けられ、
前記支持シートの前記第１の端縁と直交する方向の一端縁から前記透明シートが取り付けられた位置までの範囲の一部に前記透明シートの厚さと略等しい厚さのシール材を設けたことを特徴とする帳票キャリアシート。
【発明の詳細な説明】
【０００１】
【発明の属する技術分野】
この発明は、例えば、帳票搬送型のスキャナ装置に適用される帳票キャリアシートに関する。
【０００２】
【従来の技術】
例えば、光学的文字認識装置の読取装置を構成する帳票搬送型のスキャナ装置では、帳票を搬送させて帳票に光りを走査し、この走査により帳票から反射される光を光学系を介してイメージセンサに受光させることにより、その画像情報を読み取るようになっている。
【０００３】
しかしながら、この帳票搬送型のスキャナ装置においては、帳票が例えば、薄い紙であったり、裏カーボン紙等の場合には、２枚重ねの状態で取り込んだり、ジャム等が発生し易く、良好に搬送することができないものとなっている。
【０００４】
そこで、帳票が薄い紙や、裏カーボン紙等の場合には、帳票キャリアシートを用いてこの帳票キャリアシート内に薄い紙や、裏カーボン紙等を挟み込んで搬送するようにしている。
【０００５】
帳票キャリアシートは、帳票の反画像読取面を支持する支持シートとしての台紙と、この台紙に搬送方向の先端部及び搬送方向と直交する方向の両端辺部が糊付けされて台紙に重ね合わされる透明シートにより構成されている。
【０００６】
ところで、通常の画像処理装置での認識処理では帳票のエッジを検出してから処理が開始される。
【０００７】
【発明が解決しようとする課題】
しかしながら、従来においては、帳票キャリアシートの台紙は白色とされていたため、帳票の背景が帳票と同じ白色となっていた。このため、帳票のエッジを検出するのが困難となり、画像処理装置に使用することは不向きなものとなっていた。
【０００８】
また、透明シートの搬送方向の先端部及び搬送方向と直交する方向の両端部を台紙に糊付けするため、台紙よりも大きな帳票の搬送はできず、画像処理装置の認識には不向きであるという問題があった。
【０００９】
一方、帳票キャリアシートは通常、スキャナ装置の取出部にセットされ、この取出部から一枚ずつ取出されて搬送されるが、この取出される帳票キャリアシートは厚さ検知センサによりその厚さが検知されることにより２枚取りの有無が判別されるようになっている。
【００１０】
しかしながら、帳票キャリアシートは構造上、台紙と帳票と透明シートとが３枚重なった状態で搬送されるため、厚さのばらつきが大きく、厚さ検知センサでの正確な厚さ検知が困難なものとなっていた。
【００１１】
本発明は上記事情に着目してなされたもので、帳票のエッジを確実に検出でき、また、支持シートよりも大きな帳票の搬送を可能とし、さらに、２枚取りを確実に検知できるようにした帳票キャリアシートを提供することを目的とする。
【００１２】
【課題を解決するための手段】
本発明は上記課題を解決するため、請求項１の発明は、帳票の反読取面側を支持するための支持面を一部に設けた４つの端縁を持つ支持シートと、この支持シートに取り付けられ前記支持面上に支持された帳票の読取面側を覆うための透明シートとを具備し、前記支持シートの第１の端縁を先頭に搬送させて前記帳票の画像を前記透明シート側から光学的に読み取らせるための帳票キャリアシートにおいて、前記支持面は、少なくとも前記支持シートの前記第１の端縁から前記第１の端縁に対向する第２の端縁の方向に所定距離ずれた位置以降に第１の色で形成して前記支持シートの第２の色で形成した非支持面との間に色差を持たせるとともに、前記支持面の前記非支持面との境目に前記支持面側に陥没する凹部を複数形成し、前記透明シートの一つの先端縁が前記支持シートの前記支持面の外縁部および前記凹部に接着されたことを特徴とする。
【００１３】
請求項２の発明は、帳票の反読取面側を支持するための支持面を一部に設けた４つの端縁を持つ支持シートと、この支持シートに取り付けられ前記支持面上に支持された帳票の読取面側を覆うための透明シートとを具備し、前記支持シートの第１の端縁を先頭に搬送させて前記帳票の画像を前記透明シート側から光学的に読み取らせるための帳票キャリアシートにおいて、前記透明シートは、記支持シートの前記第１の端縁と直交する一端縁から所定距離だけ他端縁側にずれた位置に取り付けられ、前記支持シートの前記第１の端縁と直交する方向の一端縁から前記透明シートが取り付けられた位置までの範囲の一部に前記透明シートの厚さと略等しい厚さのシール材を設けたことを特徴とする。
【００１９】
【発明の実施の形態】
以下、本発明を図面に示す実施の形態を参照して詳細に説明する。
【００２０】
図１は、本発明の一実施の形態である帳票のキャリアシート１を示すものである。キャリアシート１は、帳票を支持する長方形状の支持シート２と、この支持シート２に糊付けされ、帳票を支持シート２上に保持する長方形状の透明シート３とにより構成される。このキャリアシート１は後述するスキャナ装置にセットされてその短手方向（矢印方向）に沿って取出されて搬送されるようになっている。
【００２１】
キャリアシート１の支持シート２は、帳票を支持する支持面２ａを有している。この支持面２ａは支持シート２の搬送方向の先端部２ｂ及び搬送方向と直交する方向の一端部２ｃを除く全領域となっている。支持シート２の支持面２ａは黒色で、支持面２ａ以外の領域は白色となっており、両者間に色差が持たされている。
【００２２】
透明シート３は、その搬送方向の先端部３ａと搬送方向と直交する方向の一端部３ｂを支持面２ａの外縁部に糊付けされて接着されている。透明シート３の搬送方向の後端部３ｃと搬送方向に直交する方向の他端部３ｄは糊付されることなく開放されている。透明シート３の短手方向の寸法は支持面２ａの短手方向の寸法よりも略１／２程度短くされている。
【００２３】
透明シート３の先端縁３ａ´は支持シート２の搬送方向の先端縁２ｂ´よりも距離Ｓ１だけ搬送方向後方にずらされ、透明シート３の一端縁３ｂ´は支持シート２の一端縁２ｃ´よりも距離Ｓ２だけ他端側にずらされている。
【００２４】
透明シート３は光反射防止材により成形され、照射される光を反射させることなく、透過させて帳票に照射させることができるようになっている。
【００２５】
図２は、支持シート２を示す平面図である。
【００２６】
支持シート２の支持面２ａと支持面２ａ以外の領域との境目には、所定間隔を存して複数の凹部２ｄ…が支持面２ａの内側に向かって陥没する状態で形成され、これら複数の凹部２ｄ…は白色となっている。透明シート３の先端部３ａ及び一端部３ｂは支持シート２の支持面２ａの外縁部のみならず、上記した複数の凹部２ｄ…にも糊付けにより接着されている。
【００２７】
支持シート２の一端部２ｃには、厚さを透明シート３の厚さと略等しくするシール材５が貼り付けられているとともに、シール材５に隣接して帳票通番６が形成されている。
【００２８】
図３は、帳票のスキャナ装置７を示すもので、このスキャナ装置７は背景が黒で画像を取得するものである。
【００２９】
図中８は、キャリアシート１をセットするセット部で、このセット部８にはキャリアシート１を取出す取出ローラ９が設けられている。
【００３０】
取出ローラ９によって取出されたキャリアシート１は搬送路１１に沿って搬送される。この搬送路１１中にはキャリアシート１の搬送方向に亘って、厚さ検知センサ１２、搬送ローラ対１３、読取部１４、及び排出ローラ対１５が設けられている。
【００３１】
読取部１４は、帳票Ｐに光りを照射する照明ランプ１７，１７と帳票Ｐから反射された光を結像する結像レンズ１８及び結像レンズ１８により結像された像を受光するイメージセンサ１９とにより構成される。
【００３２】
次に、スキャナ装置７による画像情報の読取動作について説明する。
【００３３】
まず、帳票Ｐをキャリアシート１の支持シート２の支持面２ａと透明シート３との間に差し込んで挟持し、このキャリアシート１をその透明シート３を上部側にしてセット部８にセットする。
【００３４】
このようにキャリアシート１をセットしたのち、取出ローラ９を回転させてキャリアシート１を取出す。この取出されたキャリアシート１はその支持シート２の一端部２ｃが厚さ検知センサ１２により検知されることにより、２枚取りの有無が判別される。キャリアシート１が２枚取されたと判別された場合には取出しが停止され、２枚取でないと判断された場合には搬送ローラ対１３の回転により挟持搬送されて読取部１４へ送られる。
【００３５】
読取部１４では、照明ランプ１７，１７が発光され、この照明ランプ１７，１７からの光がキャリアシート１の透明シート３を介して帳票Ｐに照射される。この照射された光は帳票Ｐから反射されて結像レンズ１８を介してイメージセンサ１９に受光され、画像情報が読み取られることになる。
【００３６】
図４は、画像情報処理のシステム２０の全体を示すものである。
【００３７】
このシステム２０は、上記したスキャナ装置７と文字認識装置２１とにより構成されている。
【００３８】
次に、実際の運用例を元にして文字認識システム２０の動作を説明する。
【００３９】
読取対象の帳票は、予め、帳票識別用のモデルが登録されているものとする。識別用のモデルの登録はキャリアシート１の支持シート２の黒色の支持面２ａのエッジ部の凸凹の形状で識別を行なう。
【００４０】
まず、スキャナ装置７から帳票イメージが文字認識装置２１の帳票識別部２３に送信されることにより、図６に示すような通常の帳票Ｐであるか、或いは、図５に示すようなキャリアシート１に入った帳票Ｐであるのかの識別が行われる。
【００４１】
なお、この際、キャリアシート１の帳票通番６の番号を読み取って識別することも可能である。
【００４２】
帳票Ｐが通常搬送のものだった場合には、帳票の識別処理を行う。そして、該当帳票のモデルから認識処理を行い、この認識後、結果データの出力、及び画像の出力を行なう。この際、帳票が確定した場合に帳票モデル単位で紙厚が設定されており、指定の紙厚かどうかを厚さ検知センサ１２で検知することで、ダブルフィードしているか否かのチェックをすることができる。画像の出力は図７に示すように帳票の傾きが補正されて画像の背景を取り除いた状態で行われる。
【００４３】
一方、帳票Ｐがキャリアシート１に入ったものであると判別された場合には、キャリアシート１の支持シート２の支持面２ａの黒の領域で再度、帳票の検出処理を行なってその帳票で帳票識別を行う。このとき、紙厚のチェックは厚さ検知センサ１２により支持シート２のみの厚さを検出するため、キャリアシート１にセットした帳票の厚みには影響なくダブルフィードのチェックができる。
【００４４】
帳票識別の結果、該当の帳票のモデルとマッチングした以降は通常の帳票処理と同様の処理が行われる。また、画像出力に関してもキャリアシート１内で再度、エッジの位置が検出される。
【００４５】
なお、帳票がキャリアシート１から食み出していても、イメージ上では帳票背景との区別がつかなくなっているため、キャリアシート１のサイズよりも読取帳票が多少大きくても正確にエッジの検出、切り出し処理が行える。
【００４６】
図８に示すように、キャリアシート１内の画像からエッジを検出できれば、あとは通常の帳票と同じように切り出しの処理が行えるため、図７で示したＯＣＲ帳票と同様の画像イメージを出力、及びそれを認識し、さらに、認識結果の出力を行うことができる。
【００４７】
ところで、例えば、図９に示す帳票Ｐに対して、□□□□…の部分を認識する場合、従来ならばその帳票Ｐのフィールドだけを読みとるモデルを作成し、その帳票Ｐのみで搬送しなかれば読み取ることはできなかった。
【００４８】
また、異なった種類の帳票を混在で搬送する場合は、固定位置に帳票別にＩＤを印字し、それをまず読み取ることでＩＤごとに異なったモデル（フォーマットコントロールＦＣ）を読み出し、該当モデルに対して読み取りを行なっていた。
【００４９】
一方、既存のＯＣＲ用のＩＤが印字されていない帳票を対象にした場合、帳票を読み取る手段として帳票識別がある。
【００５０】
この帳票識別の処理は図１０及び図１１に示すように、既存の帳票のサイズ、プレプリント印字や、その位置、また帳票形状などを元にして登録されている帳票とマッチングしその後、読取項目を認識処理をすることにより行われる。
【００５１】
上記したように、この発明では支持シート２の支持面２ａの色を黒色とするため、帳票との間に色差を持たせることができ、帳票の背景色がスキャナ背景色と同じくなり、スキャンイメージ上で帳票位置を容易に特定して画像の読み取りを可能とする。
【００５２】
また、支持シート２の先端部２ｂ及び一端部２ｃを除く全領域を黒色の支持面２ａとし、かつ、透明シート３の後端部３ｃと他端部３ｄは糊付することなく開放するため、帳票が支持シート２の支持面２ａから大きく食み出してもイメージ上で帳票位置を特定でき情報の読み取りが可能となる。
【００５３】
また、透明シート３は、その先端部３ａと一端部３ｂが支持シート２の支持面２ａの外縁部及び複数の凹部２ｄ…に糊により接着されるため、支持シート２と透明シート３との間に差し込まれる帳票Ｐは透明シート３と複数の凹部２ｄ…との接着部に当接することにより、確実に支持面２ａ内に位置決めされる。
【００５４】
さらに、透明シート３の短手方向の寸法は、支持シート２の支持面２ａの短手方向の寸法よりも略１／２程度短くされるため、支持シート２と透明シート３との間への帳票Ｐの差し込みが容易になる。
【００５５】
また、支持シート２の伸縮し易い長手方向に対する透明シート３の接着面積を短手方向に対する接着面積よりも大きくするため、透明シート３の伸縮を極力抑えることができる。
【００５６】
また、透明シート３の先端部３ａは、支持シート２の先端縁２ｂ´よりも距離Ｓ１だけ搬送方向後方にずらされるため、キャリアシート１の取出時には支持シート２の先端部２ｂに取出ローラ９が当接されたのち、透明シート３の先端部３ａに接触する。従って、透明シート３の先端部３ａに取出ローラ９が強く当接することがなく、透明シート３の剥離を防止できる。
【００５７】
さらに、透明シート３の一端縁３ｂ´を支持シート２に対しその一端縁２ｃ´から距離Ｓ２だけ他端側にずらして取り付け、この支持シート２の一端部２ｃの厚さを厚さ検知センサ１２によって検知するため、透明シート３及び帳票Ｐの厚さを除いて支持シート２のみの厚さを検知することができる。従って、キャリアシート１の厚さ検知精度が向上し、２枚取を確実に防止することができる。
【００５８】
また、透明シート３は光反射防止材により成形されるため、照射される光を反射させることなく、良好に透過させて帳票に照射させることができる。
【００５９】
また、支持シート２の一端部２ｃには、厚さを透明シート３の厚さと略等しくするシール材５を貼り付けるため、キャリアシート１の厚さが透明シート３側に偏ることがなく、良好な取出し及び搬送が可能となる。
【００６０】
【発明の効果】
本発明は以上説明したように、支持シートの支持面の色と帳票の色とを異ならせて両者間に色差を持たせるため、イメージセンサ上で帳票のエッジを特定することができ、画像情報の読み取りが可能となる。
【００６１】
また、透明シートを支持シートに対しその搬送方向と直交する方向の一端縁から所定距離だけ他端側にずらせて取り付けるため、透明シート及び帳票の厚さを除いて支持シートの厚さのみを検出することができ、２枚取の検知精度を向上することができる。
【００６２】
また、支持シートの搬送方向と直交する方向の一端部に厚さを透明シートの厚さと略同一とするシール材を接着するため、帳票キャリッジシートの厚さが透明シート側に偏って厚くなることがなく、帳票キャリッジシートの取出し及び搬送性能を良好に維持できる。
【００６３】
また、透明シートを支持シートに対し、その先端部から所定距離だけ後方にずらせて取り付けるため、取出ローラは支持シートの先端部に当接してから透明シートに接触することになる。従って、透明シートに強い力が作用せず、透明シートが支持シートから剥離することを防止できる。
【００６４】
また、支持シートの支持面と該支持面以外の領域との境目には支持面の内側に向かって所定量陥没する凹部を所定間隔を存して複数形成し、透明シートを前記支持面の外縁部及び前記複数の凹部に接着して支持シートに取り付けるため、支持面に支持される帳票のエッジは、複数の凹部と透明シートとの接着部に当接して支持面内に位置決めされ、帳票のエッジを確実に読み取ることができる。
【００６５】
また、凹部を読み取ることにより、帳票キャリアシートに入れられた帳票と通常の帳票との識別を特別な認識処理などを必要とすることなく、高速で行なうことができ、処理効率を向上できる。
【００６６】
さらに、透明シートは、光の反射を防止する反射防止材により構成するため、光は透明シートに反射されることなく帳票に照射され、帳票の画像情報を良好に読み取ることができる。
【００６７】
また、支持面を支持シートの先端部及び一端部を除く全領域とし、透明シートの先端部及び一端部を支持シートに接着するとともに、透明シートの後端部及び他端部を開放するため、帳票が支持シートより大きくて支持面から食み出す場合でも、帳票のエッジを確実に検出することが可能となる。
【００６８】
また、支持シート及び透明シートは、その搬送方向と直交する方向の長さが搬送方向に沿う長さより長い長方形状で、前記透明シートはその長辺部及び短辺部を前記支持面の外縁部に接着して取り付けるため、搬送時に支持シートが伸縮し易い方向における透明シートの接着面積を大きくすることができ、その伸縮量を低減することができる。
【図面の簡単な説明】
【図１】本発明の一実施の形態である帳票のキャリアシートを示す平面図。
【図２】キャリアシートの支持シートを示す平面図。
【図３】スキャナ装置を示す概略的構成図。
【図４】画像処理装置のシステム全体を示す図。
【図５】キャリアシートに保持されて搬送される帳票の画像を示す平面図。
【図６】キャリアシートに保持されないで単独で搬送される帳票の画像を示す平面図。
【図７】エッジがトリミングされた後の帳票画像を示す平面図。
【図８】スキャナ取得後のイメージ全体像を示す図。
【図９】帳票例を示す平面図。
【図１０】帳票例を示す平面図。
【図１１】帳票の識別情報を示す図。
【符号の説明】
Ｐ…帳票、２…支持シート、２ａ…支持面、２ｂ…先端部、２ｂ´…先端縁、２ｃ…一端部、２ｃ´…一端縁、３…透明シート、３ａ…先端部、３ａ´…先端縁、３ｂ…一端部、３ｂ´…一端縁、３ｃ…後端部、３ｄ…他端部、５…シール材、２ｄ…凹部。
【図１】
0003548153.tif 000002
【図２】
0003548153.tif 000003
【図３】
0003548153.tif 000004
【図４】
0003548153.tif 000005
【図５】
0003548153.tif 000006
【図６】
0003548153.tif 000007
【図７】
0003548153.tif 000008
【図８】
0003548153.tif 000009
【図９】
0003548153.tif 000010
【図１０】
0003548153.tif 000011
【図１１】
0003548153.tif 000012